(57)【特許請求の範囲】
【請求項１】
記録媒体に記録された映像信号及び音声信号を複数の任意の区間に分割し、該分割された区間ごとの再生開始位置及び再生終了位置を設定したプログラムを作成する工程と、
前記プログラムに従った再生実行時、前記分割された区間の再生開始位置にて再生を待機した状態で出力すべき音声信号の選択を受け付ける工程と、
所定の命令動作に基づいて再生を開始するとともに、再生される音声信号とは異なる音声信号の選択を受け付けたときは、該当する区間の再生終了位置まで前記再生される音声信号に替えて選択された音声信号を出力する工程とを有することを特徴とする再生方法。
【請求項２】
記録媒体に記録された映像信号及び音声信号を複数の任意の区間に分割し、該分割された区間ごとの再生開始位置及び再生終了位置を設定したプログラムを作成する工程と、
前記プログラムにおける任意の再生開始位置から再生終了位置の区間において、出力すべき音声信号の選択を可能とする区間を設定する工程と、
前記プログラムに従った再生実行時、前記音声信号の選択を可能とする区間を再生する際に出力すべき音声信号の選択を受け付ける工程と、
再生される音声信号とは異なる音声信号の選択を受け付けたときは、再生される音声信号に替えて選択された音声信号を任意の期間出力する工程とを有することを特徴とする再生方法。
【請求項３】
前記再生される音声信号とは異なる音声信号として、外部入力の音声信号を選択可能であることを特徴とする請求項１または２に記載の再生方法。
【請求項４】
前記再生される音声信号とは異なる音声信号として、マイク入力の音声信号を選択可能であることを特徴とする請求項１または２に記載の再生方法。
【請求項５】
前記再生される音声信号とは異なる音声信号を選択するための操作手段を操作している期間だけ前記再生される音声信号に替えて選択された音声信号を出力することを特徴とする請求項１乃至４のいずれか１項に記載の再生方法。
【請求項６】
記録媒体に記録された映像信号及び音声信号を複数の任意の区間に分割し、該分割された区間ごとの再生開始位置及び再生終了位置を設定したプログラムを設定するプログラム設定手段と、
前記プログラムに従った再生を行う再生手段と、
前記再生手段による再生実行時、前記分割された区間の再生開始位置にて再生を待機した状態で出力すべき音声信号の選択を行う選択手段と、
所定の命令動作に基づいて再生を開始するとともに、再生される音声信号とは異なる音声信号が選択されたときは、該当する区間の再生終了位置まで前記再生される音声信号に替えて選択された音声信号を出力するように制御する制御手段とを有することを特徴とする再生装置。
【請求項７】
記録媒体に記録された映像信号及び音声信号を複数の任意の区間に分割し、該分割された区間ごとの再生開始位置及び再生終了位置を設定したプログラムを設定するプログラム設定手段と、
前記プログラムにおける任意の再生開始位置から再生終了位置の区間において、出力すべき音声信号の選択を可能とする区間を設定する音声設定手段と、
前記プログラムに従った再生を行う再生手段と、
前記再生手段による再生実行時、前記音声信号の選択を可能とする区間を再生する際に出力すべき音声信号の選択を行う選択手段と、
再生される音声信号とは異なる音声信号の選択を受け付けたときは、再生される音声信号に替えて選択された音声信号を任意の期間出力するよう制御する制御手段とを有することを特徴とする再生装置。
【請求項８】
音声信号を入力する音声入力手段を有し、前記制御手段は、前記再生される音声信号とは異なる音声信号として前記音声入力手段から入力される音声信号を用いるように制御することを特徴とする請求項６または７記載の再生装置。
【請求項９】
音声信号を入力する音声入力手段と、該音声入力手段からの音声信号を選択するための操作手段を有し、前記制御手段は、前記操作手段を操作している期間だけ前記再生される音声信号に替えて選択された音声信号を出力するように制御することを特徴とする請求項６または７記載の再生装置。
【請求項１０】
前記音声入力手段は、内蔵マイクであることを特徴とする請求項８または９記載の再生装置。
【請求項１１】
記録媒体に記録された映像信号及び音声信号を複数の任意の区間に分割し、該分割された区間ごとの再生開始位置及び再生終了位置を設定したプログラムを作成する工程と、前記プログラムに従った再生実行時、前記分割された区間の再生開始位置にて再生を待機した状態で出力すべき音声信号の選択を受け付ける工程と、所定の命令動作に基づいて再生を開始するとともに、再生される音声信号とは異なる音声信号の選択を受け付けたときは、該当する区間の再生終了位置まで前記再生される音声信号に替えて選択された音声信号を出力する工程との制御モジュールを有する制御プログラムを格納したことを特徴とする記憶媒体。
【請求項１２】
記録媒体に記録された映像信号及び音声信号を複数の任意の区間に分割し、該分割された区間ごとの再生開始位置及び再生終了位置を設定したプログラムを作成する工程と、前記プログラムにおける任意の再生開始位置から再生終了位置の区間において、出力すべき音声信号の選択を可能とする区間を設定する工程と、前記プログラムに従った再生実行時、前記音声信号の選択を可能とする区間を再生する際に出力すべき音声信号の選択を受け付ける工程と、再生される音声信号とは異なる音声信号の選択を受け付けたときは、再生される音声信号に替えて選択された音声信号を任意の期間出力する工程との制御モジュールを有する制御プログラムを格納したことを特徴とする記憶媒体。
【発明の詳細な説明】
【０００１】
【発明の属する技術分野】
本発明は、再生時の音声ソースを任意に選択して出力することが可能な再生方法及び装置並びにこの再生装置を制御するための制御プログラムを格納した記憶媒体に関する。
【０００２】
【従来の技術】
従来、磁気記録再生装置として、編集用記録媒体（磁気記録テープ等）を装填した外部記録装置を制御し、予め記録媒体（磁気記録テープ等）に記録された再生信号の編集を実行する機能を有したものが、特開平９−２８２８４６号公報に開示されている。
【０００３】
図１２は、このような従来の編集機能を有した磁気記録再生装置の構成を示すブロック図である。同図において、１はシステムコントロール部、２はメカシャーシ部、３は信号処理部、４は入力音声処理部、５はＥＶＦ（エレクトリックビューファインダー）部、６はスピーカ部、７はキー入力部、８は遠隔操作信号送出部である。
【０００４】
信号処理部３は、映像信号出力端子３−１、音声信号出力端子３−２及び外部映像信号入力端子３−３を有している。また、入力音声処理部４は、内蔵マイク４−１、外部マイク入力端子４−２及び外部音声信号入力端子４−３を有している。更に、キー入力部７は、各種のスイッチ（ＳＷ１乃至ＳＷ１２）を有している。
【０００５】
図１３乃至図１５は、従来の編集機能を有した磁気記録再生装置の編集モード時におけるシステムコントロール部１の動作の流れを示すフローチャートである。
【０００６】
まず、編集モード時の動作の流れを図１３に基づき説明する。
【０００７】
図１３において、まず、ステップＳ１３０１でシステムコントロール部１は、シーンｎ，ｍ及びＡｓｅｌカウンタを初期化する。次に、ステップＳ１３０２でシステムコントロール部１は、キー入力部７のＥＤＩＴキー（ＳＷ４）がオン（ＯＮ）か否かを判断する。そして、ＥＤＩＴキー（ＳＷ４）がオンと判断された場合は、ステップＳ１３０３でキー入力部７のＰｌａｙキー（ＳＷ１）がオフ（ＯＦＦ）か否かを判断する。そして、Ｐｌａｙキー（ＳＷ１）がオフと判断された場合は、ステップＳ１３０４でキー入力部７のＦＦキー（ＳＷ２）がオフ（ＯＦＦ）か否かを判断する。そして、ＦＦキー（ＳＷ２）がオフと判断された場合は、ステップＳ１３０５でキー入力部７のＲＥＷキー（ＳＷ３）がオフ（ＯＦＦ）か否かを判断する。そして、ＲＥＷキー（ＳＷ３）がオフと判断された場合は、ステップＳ１３０６で後述する図１４に示すシーンｎ編集設定動作を開始する。この編集設定はキー入力部７のＳＷ６及びＳＷ７にて行われる。
【０００８】
次に、ステップＳ１３０７でｎに１を加算（ｎ＋１）した後、ステップＳ１３０８でキー入力部７のＥＤＩＴキー（ＳＷ４）がオン（ＯＮ）か否かを判断する。そして、ＥＤＩＴキー（ＳＷ４）がオフと判断された場合は、前記ステップＳ１３０３へ戻ってキー入力部７のＰｌａｙキー（ＳＷ１）がオフ（ＯＦＦ）か否かを判断し、また、ＥＤＩＴキー（ＳＷ４）がオンと判断された場合は、本処理動作を終了する。
【０００９】
一方、前記ステップＳ１３０２においてＥＤＩＴキー（ＳＷ４）がオフ（ＯＦＦ）と判断された場合は、ステップＳ１３０９でキー入力部７のＳＴＡＲＴキー（ＳＷ５）がオン（ＯＮ）か否かを判断する。そして、ＳＴＡＲＴキー（ＳＷ５）がオフと判断された場合は、何も処理せずに本処理動作を終了する。また、前記ステップＳ１３０９においてＳＴＡＲＴキー（ＳＷ５）がオン（ＯＮ）と判断された場合は、ステップＳ１３１０で後述する図１５に示すシーンｎ編集実行を開始し、次のステップＳ１３１１でシーンｍに１を加算する。その後、ステップＳ１３１２でｍとｎが等しい（ｍ＝ｎ）か否かを判断する。そして、ｍ＝ｎでないと判断された場合は前記ステップＳ１３１０へ戻り、また、ｍ＝ｎであると判断された場合は本処理動作を終了する。
【００１０】
一方、前記ステップＳ１３０３においてＰｌａｙキー（ＳＷ１）がオン（ＯＮ）と判断された場合は、ステップＳ１３１３でＰｌａｙ（再生）動作を実行した後、前記ステップＳ１３０８へ進んでキー入力部７のＥＤＩＴキー（ＳＷ４）がオン（ＯＮ）か否かを判断する。
【００１１】
一方、前記ステップＳ１３０４においてＦＦキー（ＳＷ２）がオン（ＯＮ）と判断された場合はステップＳ１３１４でＦＦ（早送り）動作を実行した後、前記ステップＳ１３０８へ進んでキー入力部７のＥＤＩＴキー（ＳＷ４）がオン（ＯＮ）か否かを判断する。
【００１２】
一方、前記ステップＳ１３０５においてＲＥＷキー（ＳＷ３）がオン（ＯＮ）と判断された場合は、ステップＳ１３１５でＲＥＷ（巻き戻し）動作を実行した後、前記ステップＳ１３０８へ進んでキー入力部７のＥＤＩＴキー（ＳＷ４）がオン（ＯＮ）か否かを判断する。
【００１３】
次に、前記図１３のステップＳ１３０６において行われるシーンｎ編集設定動作の流れを図１４に基づき説明する。
【００１４】
図１４において、まず、ステップＳ１４０１でキー入力部７のＳＷ６のオン（ＯＮ）によりカットインが選択されたか否かを判断する。そして、カットインが選択されたと判断された場合は、ステップＳ１４０３でカットイン（ｎ）点を設定した後、リターンする。
【００１５】
一方、前記ステップＳ１４０１においてカットインが選択されないと判断された場合は、ステップＳ１４０２でキー入力部７のＳＷ７のオン（ＯＮ）によりカットアウトが選択されたか否かを判断する。そして、カットアウトが選択されたと判断された場合は、ステップＳ１４０４でカットアウト（ｎ）点を設定した後、リターンし、また、カットアウトが選択されないと判断された場合は、リターンする。
【００１６】
次に、前記図１３のステップＳ１３１０において行われるシーンｍ編集実行動作の流れを図１５に基づき説明する。
【００１７】
図１５において、まず、ステップＳ１５０１でテープカウンタがカットインポイント（ｍ）と一致するか否かを判断する。そして、テープカウンタがカットインポイント（ｍ）と一致したと判断された場合は、ステップＳ１５０３で編集動作を開始し、ステップＳ１５０４で編集開始信号を発行した後、リターンする。
【００１８】
一方、前記ステップＳ１５０１においてテープカウンタがカットインポイント（ｍ）と一致しないと判断された場合は、ステップＳ１５０２でテープカウンタがカットアウトポイント（ｍ）と一致するか否かを判断する。そして、テープカウンタがカットアウトポイント（ｍ）と一致したと判断された場合は、ステップＳ１５０５で編集動作を終了し、ステップＳ１５０６で編集停止信号を発行した後、リターンする。
【００１９】
一方、前記ステップＳ１５０２においてテープカウンタがカットアウトポイント（ｍ）と一致しないと判断された場合はリターンする。
【００２０】
即ち、従来の編集機能を有した磁気記録再生装置においては、システムコントロール部１は、キー入力部７でＥＤＩＴキー（ＳＷ４）のオンを検出すると編集設定動作を開始する。この編集設定はキー入力部７のＳＷ６及びＳＷ７にて行われ、ＳＷ６のオンを検出するとカットインポイントが設定され、また、ＳＷ７のオンを検出するとカットアウトポイントが設定される。編集ポイントの設定は、ＥＤＩＴキーのオンが再び検出されるまで繰り返し行われ、複数の編集シーンの設定が可能になっている。また、カットインポイント及びカットアウトポイントの検索は、Ｐｌａｙキー（ＳＷ１）、ＦＦキー（ＳＷ２）、ＲＥＷキー（ＳＷ３）を用いて行われる。
【００２１】
編集設定にてカットインポイント及びカットアウトポイントが選択され、キー入力部７でＳＴＡＲＴキー（ＳＷ５）のオンを検出すると、システムコントロール部１は編集実行を開始する。編集実行時、システムコントロール部１はテープカウンタを監視し、該テープカウンタがカットインポイントと一致すると、メカシャーシ部２及び信号処理部３に再生制御命令信号を送出し、各ブロックに編集開始の制御信号を送出すると共に、遠隔操作信号送出部８より図示しない外部記録装置へ開始制御信号を送出する。
【００２２】
また、テープカウンタがカットアウトポイントと一致すると、各ブロックに編集終了の制御信号を送出すると共に、遠隔操作信号送出部８より図示しない外部記録装置へ停止制御信号を送出する。編集実行中、メカシャーシ部２及び信号処理部３では、図示しない記録媒体である磁気記録テープに記録された映像信号及び音声信号を再生するために必要な一連の処理を行う。また、このとき、入力音声処理部４に接続される内蔵マイク４−１、外部マイク入力端子４−２及び外部音声入力端子４−３からの音声入力は禁止される。
【００２３】
以上の構成により、従来の編集機能を有した磁気記録再生装置は、編集時において、図示しない記録媒体である磁気記録テープより再生された映像信号及び音声信号をＥＶＦ部５、スピーカ部６及び映像信号出力端子３−１、音声信号出力端子３−２より出力する。外部記録装置では、遠隔操作信号送出部８より送られてくる開始制御信号及び停止制御信号に応じて、映像信号出力端子３−１及び音声信号出力端子３−２より出力される映像再生信号及び音声再生信号の記録開始及び停止を繰り返し行い、編集用記録媒体として用意された磁気記録テープを作成する。
【００２４】
【発明が解決しようとする課題】
しかしながら、上述した従来例にあっては、再生音声信号とは別の音声信号を記録する或いは再生音声信号に別の音声信号を合成して記録する等の音声編集効果を同時に得ることができず、この効果を得る場合には、編集終了後にアフレコ等の機能を有した記録装置を用いて編集された磁気記録媒体に再度音声信号を記録するか、編集用記録媒体を装填した外部記録装置に接続される音声信号用ケーブルを、カット毎に所望の音声ソースに対応してつなぎ換えなければならないという問題点があった。
【００２５】
本発明は上述した従来の技術の有するこのような問題点に鑑みてなされたものであり、その第１の目的とするところは、複数設定された各編集シーン毎に適当な音声ソースを容易に設定することが可能で、必要且つ十分な音声編集効果を容易に得ることができると共に、ＢＧＭ（バックグランドミュージック）やアナウンス効果を容易に得ることができる再生方法及び装置を提供しようとするものである。
【００２６】
また、本発明の第２の目的とするところは、上述したような本発明の再生装置を円滑に制御することができる制御プログラムを格納した記憶媒体を提供しようとするものである。
【００２７】
【課題を解決するための手段】
上記第１の目的を達成するために請求項１記載の再生方法は、記録媒体に記録された映像信号及び音声信号を複数の任意の区間に分割し、該分割された区間ごとの再生開始位置及び再生終了位置を設定したプログラムを作成する工程と、前記プログラムに従った再生実行時、前記分割された区間の再生開始位置にて再生を待機した状態で出力すべき音声信号の選択を受け付ける工程と、所定の命令動作に基づいて再生を開始するとともに、再生される音声信号とは異なる音声信号の選択を受け付けたときは、該当する区間の再生終了位置まで前記再生される音声信号に替えて選択された音声信号を出力する工程とを有することを特徴とする。
【００２８】
また、上記第１の目的を達成するために請求項２記載の再生方法は、記録媒体に記録された映像信号及び音声信号を複数の任意の区間に分割し、該分割された区間ごとの再生開始位置及び再生終了位置を設定したプログラムを作成する工程と、前記プログラムにおける任意の再生開始位置から再生終了位置の区間において、出力すべき音声信号の選択を可能とする区間を設定する工程と、前記プログラムに従った再生実行時、前記音声信号の選択を可能とする区間を再生する際に出力すべき音声信号の選択を受け付ける工程と、再生される音声信号とは異なる音声信号の選択を受け付けたときは、再生される音声信号に替えて選択された音声信号を任意の期間出力する工程とを有することを特徴とする。
【００３４】
また、上記第１の目的を達成するために請求項６記載の再生装置は、記録媒体に記録された映像信号及び音声信号を複数の任意の区間に分割し、該分割された区間ごとの再生開始位置及び再生終了位置を設定したプログラムを設定するプログラム設定手段と、
前記プログラムに従った再生を行う再生手段と、前記再生手段による再生実行時、前記分割された区間の再生開始位置にて再生を待機した状態で出力すべき音声信号の選択を行う選択手段と、所定の命令動作に基づいて再生を開始するとともに、再生される音声信号とは異なる音声信号が選択されたときは、該当する区間の再生終了位置まで前記再生される音声信号に替えて選択された音声信号を出力するように制御する制御手段とを有することを特徴とする。
【００３５】
また、上記第１の目的を達成するために請求項７記載の再生装置は、記録媒体に記録された映像信号及び音声信号を複数の任意の区間に分割し、該分割された区間ごとの再生開始位置及び再生終了位置を設定したプログラムを設定するプログラム設定手段と、前記プログラムにおける任意の再生開始位置から再生終了位置の区間において、出力すべき音声信号の選択を可能とする区間を設定する音声設定手段と、前記プログラムに従った再生を行う再生手段と、前記再生手段による再生実行時、前記音声信号の選択を可能とする区間を再生する際に出力すべき音声信号の選択を行う選択手段と、再生される音声信号とは異なる音声信号の選択を受け付けたときは、再生される音声信号に替えて選択された音声信号を任意の期間出力するよう制御する制御手段とを有することを特徴とする。
【００４１】
また、上記第２の目的を達成するために請求項１１記載の記憶媒体は、記憶媒体に記録された映像信号及び音声信号を複数の任意の区間に分割し、該分割された区間ごとの再生開始位置及び再生終了位置を設定したプログラムを作成する工程と、前記プログラムに従った再生実行時、前記分割された区間の再生開始位置にて再生を待機した状態で出力すべき音声信号の選択を受け付ける工程と、所定の命令動作に基づいて再生を開始するとともに、再生される音声信号とは異なる音声信号の選択を受け付けたときは、該当する区間の再生終了位置まで前記再生される音声信号に替えて選択された音声信号を出力する工程との制御モジュールを有する制御プログラムを格納したことを特徴とする。
【００４２】
また、上記第２の目的を達成するために請求項１２記載の記憶媒体は、記録媒体に記録された映像信号及び音声信号を複数の任意の区間に分割し、該分割された区間ごとの再生開始位置及び再生終了位置を設定したプログラムを作成する工程と、前記プログラムにおける任意の再生開始位置から再生終了位置の区間において、出力すべき音声信号の選択を可能とする区間を設定する工程と、前記プログラムに従った再生実行時、前記音声信号の選択を可能とする区間を再生する際に出力すべき音声信号の選択を受け付ける工程と、再生される音声信号とは異なる音声信号の選択を受け付けたときは、再生される音声信号に替えて選択された音声信号を任意の期間出力する工程との制御モジュールを有する制御プログラムを格納したことを特徴とする。
【００４８】
【発明の実施の形態】
以下、本発明の各実施の形態を図１乃至図１１に基づき説明する。
【００４９】
（第１の実施の形態）
まず、本発明の第１の実施の形態を図１乃至図３に基づき説明する。なお、本実施の形態に係る編集機能を有する磁気記録再生装置の基本的な構成は、上述した従来例の図１２と同一であるから、同図を流用して説明する。また、本実施の形態に係る編集機能を有する磁気記録再生装置の編集モードのシーケンス及びシーンｎ編集設定のシーケンスは、上述した従来例の図１３及び図１４と同一であるから、その詳細説明は省略する。
【００５０】
図１は、本実施の形態に係る編集機能を有する磁気記録再生装置のシーンｍ編集実行処理動作の流れを示すフローチャートである。
【００５１】
図１において、まず、ステップＳ１０１でテープカウンタがカットインポイント（ｍ）と一致するか否かを判断する。そして、テープカウンタがカットインポイント（ｍ）と一致したと判断された場合は、ステップＳ１０２で編集実行を待機する。次に、ステップＳ１０３で編集開始スイッチ（ＳＷ１０）がオンされたか否かを判断する。そして、編集開始スイッチ（ＳＷ１０）がオンされたと判断された場合は、ステップＳ１０４で編集動作を開始し、次のステップＳ１０５で開始信号を発行した後、リターンする。
【００５２】
一方、前記ステップＳ１０１においてテープカウンタがカットインポイント（ｍ）と一致しないと判断された場合は、ステップＳ１０６でテープカウンタがカットアウトポイント（ｍ）と一致するか否かを判断する。そして、テープカウンタがカットアウトポイント（ｍ）と一致したと判断された場合は、ステップＳ１０７で編集動作を終了し、次のステップＳ１０８でＡｓｅｌカウンタを０にクリアして、次のステップＳ１０９で停止信号を発行した後、リターンする。
【００５３】
一方、前記ステップＳ１０６においてテープカウンタがカットアウトポイント（ｍ）と一致しないと判断された場合は、リターンする。
【００５４】
一方、前記ステップＳ１０３において編集開始スイッチ（ＳＷ１０）がオンされないと判断された場合は、ステップＳ１１０で音声ソースを選択し、次のステップＳ１１１で音声ソースを切り換えた後、リターンする。
【００５５】
次に、前記図１のステップＳ１１０において実行される音声ソース選択処理動作の流れを図２のフローチャートに基づき説明する。
【００５６】
図２において、まず、ステップＳ２０１で音声選択スイッチ（ＳＷ１１）がオンされたか否かを判断する。そして、音声選択スイッチ（ＳＷ１１）がオンされたと判断された場合は、次のステップＳ２０２でＡｓｅｌカウンタ値（ｍ）が３より大きいか否かを判断する。そして、Ａｓｅｌカウンタ値（ｍ）が３より小さいと判断された場合は、次のステップＳ２０３でＡｓｅｌカウンタ値（ｍ）に１を加算した後、リターンする。
【００５７】
一方、前記ステップＳ２０１において音声選択スイッチ（ＳＷ１１）がオンされないと判断された場合は、リターンする。
【００５８】
一方、前記ステップＳ２０２においてＡｓｅｌカウンタ値（ｍ）が３より大きいと判断された場合は、ステップＳ２０４でＡｓｅｌカウンタ値（ｍ）を０にクリアした後、リターンする。
【００５９】
次に、前記図１のステップＳ１１１において実行される音声ソース切り換え処理動作の流れを図３のフローチャートに基づき説明する。
【００６０】
図３において、まず、ステップＳ３０１でＡｓｅｌカウンタ値（ｍ）が０であるか否かを判断する。そして、Ａｓｅｌカウンタ値（ｍ）が０であると判断された場合は、ステップＳ３０５で再生音声信号が選択された後、リターンする。
【００６１】
一方、前記ステップＳ３０１においてＡｓｅｌカウンタ値（ｍ）が０でないと判断された場合は、ステップＳ３０２でＡｓｅｌカウンタ値（ｍ）が１であるか否かを判断する。そして、Ａｓｅｌカウンタ値（ｍ）が１であると判断された場合は、ステップＳ３０６で内蔵マイク４−１が選択された後、リターンする。
【００６２】
一方、前記ステップＳ３０２においてＡｓｅｌカウンタ値（ｍ）が１でないと判断された場合は、ステップＳ３０３でＡｓｅｌカウンタ値（ｍ）が２であるか否かを判断する。そして、Ａｓｅｌカウンタ値（ｍ）が２であると判断された場合は、ステップＳ３０７で外部マイク入力端子４−２が選択された後、リターンする。
【００６３】
一方、前記ステップＳ３０３においてＡｓｅｌカウンタ値（ｍ）が２でないと判断された場合は、ステップＳ３０４で外部音声入力端子４−３が選択された後、リターンする。
【００６４】
即ち、本実施の形態に係る編集機能を有する磁気記録再生装置においては、システムコントロール部１は、上述した従来例と同様の操作により編集設定が行われ、キー入力部７でＳＴＡＲＴキー（ＳＷ５）のオンを検出すると編集実行を開始する。この編集実行時、システムコントロール部１はテープカウンタを監視し、該テープカウンタがカットインポイントと一致すると、システムコントロール部１は編集実行を待機し、音声ソースの選択及び切り換えを受け付ける。音声ソースの選択では、キー入力部７で音声選択スイッチ（ＳＷ１１）のオンを検出する度にＡｓｅｌカウンタを０から３の範囲でインクリメントし、該Ａｓｅｌカウンタの値に応じて音声ソースが再生音声信号、内蔵マイク４−１、外部マイク入力端子４−２及び外部音声入力端子４−３の中から選択される。そして、音声ソースの選択が完了し、キー入力部７で編集開始スイッチ（ＳＷ１０）のオンを検出すると、システムコントロール部１は各ブロックに編集開始の制御信号を送出すると共に、遠隔操作信号送出部８より図示しない外部記録装置へ開始制御信号を送出する。
【００６５】
また、テープカウンタがカットアウトポイントと一致すると、システムコントロール部１は編集動作を終了するための制御信号を各ブロックに送出すると共に、遠隔操作信号送出部８より図示しない外部記録装置へ停止制御信号を送出し、外部記録装置の磁気記録テープへの記録動作を停止する。
【００６６】
以上の編集実行動作は編集設定にて設定された編集シーンの数だけ繰り返し行われる。
【００６７】
一方、外部記録装置では、遠隔操作信号送出部８より送られてくる開始制御信号及び停止制御信号に応じて映像信号出力端子３−１及び音声信号出力端子３−２より出力される映像再生信号及び音声再生信号の記録開始及び停止を繰り返し行い、編集用記録媒体として用意された磁気記録テープを作成する。
【００６８】
以上詳述したように本発明の第１実施の形態によれば、編集プログラムの実行時に、複数設定された各編集シーンの再生開始位置にて再生動作を一旦待機し、編集シーンの音声ソースとして再生音声信号以外の音声信号を選択して切り換えを完了した後、操作者の指示する任意のタイミングで再生動作を開始することを可能とすることで、複数設定された各編集シーン毎に適当な音声ソースを容易に設定可能とし、簡単且つ必要十分な音声編集効果を得ることができる。
【００６９】
（第２の実施の形態）
次に、本発明の第２の実施の形態を図４乃至図７に基づき説明する。なお、本実施の形態に係る編集機能を有する磁気記録再生装置の基本的な構成は、上述した従来例の図１２と同一であるから、同図を流用して説明する。また、本実施の形態に係る編集機能を有する磁気記録再生装置の編集モードのシーケンスは、上述した従来例の図１３と同一であるから、その詳細説明は省略する。
【００７０】
図４は、本実施の形態に係る編集機能を有する磁気記録再生装置のシーンｎ編集設定処理動作の流れを示すフローチャートである。
【００７１】
図４において、まず、ステップＳ４０１でキー入力部７のＳＷ６のオン（ＯＮ）によりカットインが選択されたか否かを判断する。そして、カットインが選択されたと判断された場合は、ステップＳ４０３でカットイン（ｎ）点を設定し、次のステップＳ４０４で音声ソースを選択した後、リターンする。
【００７２】
一方、前記ステップＳ４０１においてカットインが選択されないと判断された場合は、ステップＳ４０２でキー入力部７のＳＷ７のオン（ＯＮ）によりカットアウトが選択されたか否かを判断する。そして、カットアウトが選択されたと判断された場合は、ステップＳ４０５でカットアウト（ｎ）点を設定した後、リターンし、また、カットアウトが選択されないと判断された場合は、リターンする。
【００７３】
図５は、本実施の形態に係る編集機能を有する磁気記録再生装置のシーンｍ編集実行動作の流れを示すフローチャートである。
【００７４】
図５において、まず、ステップＳ５０１でテープカウンタがカットインポイント（ｍ）と一致するか否かを一致するまで判断する。そして、テープカウンタがカットインポイント（ｍ）と一致したと判断された場合は、ステップＳ５０２で編集実行を待機する。次に、ステップＳ５０３で編集開始スイッチ（ＳＷ１０）がオンされたか否かをオンされるまで判断する。そして、編集開始スイッチ（ＳＷ１０）がオンされたと判断された場合は、ステップＳ５０４で編集動作を開始し、次のステップＳ５０５で開始信号を発行する。
【００７５】
次に、ステップＳ５０６で音声ソースを切り換えて、次のステップＳ５０７でテープカウンタがカットアウトポイント（ｍ）と一致するか否かを判断する。そして、テープカウンタがカットアウトポイント（ｍ）と一致しないと判断された場合は、前記ステップＳ５０６へ戻って音声ソースを切り換え、また、テープカウンタがカットアウトポイント（ｍ）と一致したと判断された場合は、ステップＳ５０８へ進む。
【００７６】
このステップＳ５０８では編集実行を終了し、次のステップＳ５０９でＡｓｅｌカウンタを０にクリアし、次のステップＳ５１０で停止信号を発行した後、リターンする。
【００７７】
次に、前記図４のステップＳ４０４において実行される音声ソース選択処理動作の流れを図６のフローチャートに基づき説明する。
【００７８】
図６において、まず、ステップＳ６０１で音声選択スイッチ（ＳＷ１１）がオンされたか否かを判断する。そして、音声選択スイッチ（ＳＷ１１）がオンされたと判断された場合は、次のステップＳ６０２でＡｓｅｌカウンタ値（ｎ）が３より大きいか否かを判断する。そして、Ａｓｅｌカウンタ値（ｎ）が３より小さいと判断された場合は、次のステップＳ６０３でＡｓｅｌカウンタ値（ｎ）に１を加算した後、リターンする。
【００７９】
一方、前記ステップＳ６０１において音声選択スイッチ（ＳＷ１１）がオンされないと判断された場合は、リターンする。
【００８０】
一方、前記ステップＳ６０２においてＡｓｅｌカウンタ値（ｍ）が３より大きいと判断された場合は、ステップＳ６０４でＡｓｅｌカウンタ値（ｎ）を０にクリアした後、リターンする。
【００８１】
次に、前記図５のステップＳ５０６において実行される音声ソース切り換え処理動作の流れを図７のフローチャートに基づき説明する。
【００８２】
図７において、まず、ステップＳ７０１で音声切換スイッチ（ＳＷ１２）がオンされたか否かを判断する。そして、音声切換スイッチ（ＳＷ１２）がオンされたと判断された場合は、次のステップＳ７０２でＡｓｅｌカウンタ値（ｍ）が０であるか否かを判断する。そして、Ａｓｅｌカウンタ値（ｍ）が０でないと判断された場合は、ステップＳ７０３でＡｓｅｌカウンタ値（ｍ）が１であるか否かを判断する。そして、Ａｓｅｌカウンタ値（ｍ）が１でないと判断された場合は、ステップＳ７０４でＡｓｅｌカウンタ値（ｍ）が２であるか否かを判断する。そして、Ａｓｅｌカウンタ値（ｍ）が２でないと判断された場合は、ステップＳ７０５で外部音声入力端子４−３が選択された後、リターンする。
【００８３】
一方、前記ステップＳ７０１において音声切換スイッチ（ＳＷ１２）がオンされないと判断された場合及び前記ステップＳ７０２においてＡｓｅｌカウンタ値（ｍ）が０であると判断された場合は、いずれもステップＳ７０６へ進んで再生音声信号が選択された後、リターンする。
【００８４】
一方、前記ステップＳ７０３においてＡｓｅｌカウンタ値（ｍ）が１でないと判断された場合は、ステップＳ７０７で内蔵マイク４−１が選択された後、リターンする。
【００８５】
一方、前記ステップＳ７０４においてＡｓｅｌカウンタ値（ｍ）が２であると判断された場合は、ステップＳ７０８で外部マイク入力端子４−２が選択された後、リターンする。
【００８６】
即ち、本実施の形態に係る編集機能を有する磁気記録再生装置においては、システムコントロール部１は、キー入力部７でＥＤＩＴキー（ＳＷ４）のオンを検出すると、編集設定動作を開始する。編集設定はキー入力部７のＳＷ６、ＳＷ７及びＳＷ１１にて行われ、ＳＷ６のオンを検出するとカットインポイントが設定され、ＳＷ７のオンを検出するとカットアウトポイントが設定される。ここで、カットインポイント設定後、音声選択スイッチ（ＳＷ１１）をオンした場合には、該カット部分の音声ソースの選択が行われる。システムコントロール部１は、ＳＷ１１のオンを検出する度に０から３の範囲でＡｓｅｌカウンタのインクリメントを行う。Ａｓｅｌカウンタは音声ソースを示すカウンタで、該Ａｓｅｌカウンタの値に応じて音声ソースが選択される。
【００８７】
編集設定にてカットインポイント及びカットアウトポイントの設定が選択され、キー入力部７でＳＴＡＲＴキー（ＳＷ５）のオンを検出すると編集実行を開始する。この編集実行時、システムコントロール部１はテープカウンタを監視し、該テープカウンタがカットインポイントと一致すると、システムコントロール部１は編集実行を待機し、操作者が任意のタイミングで編集開始スイッチ（ＳＷ１０）をオンするのを待つ。そして、編集開始スイッチ（ＳＷ１０）のオンが検出されると、システムコントロール部１は各ブロックに編集開始の制御信号を送出すると共に、遠隔操作信号送出部８より図示しない外部記録装置へ開始制御信号を送出する。
【００８８】
編集動作開始時或いは編集動作中に音声切換スイッチ（ＳＷ１２）のオンが検出されると、検出している期間だけ編集設定時に設定されたＡｓｅｌカウンタの値に対応した音声ソースに切り換えられる。また、音声切換スイッチ（ＳＷ１２）がオンされていない期間は、再生音声信号が音声ソースとして出力される。以降、テープカウンタがカットアウトポイントと一致するまでの間、音声切換スイッチ（ＳＷ１２）のオン動作に応じて再生音声信号若しくはＡｓｅｌによって指定された音声ソースの切り換えが自由に選択され、テープ編集が行われる。
【００８９】
そして、テープカウンタがカットアウトポイントと一致すると、システムコントロール部１は編集動作を終了するための制御信号を各ブロックに送出すると共に、遠隔操作信号送出部８より図示しない外部記録装置へ停止制御信号を送出し、外部記録装置の磁気記録テープへの記録動作を停止する。
【００９０】
以上の編集実行動作は編集設定にて設定された編集シーンの数だけ繰り返し行われる。
【００９１】
一方、外部記録装置では、遠隔操作信号送出部８より送られてくる開始制御信号及び停止制御信号に応じて映像信号出力端子３−１及び音声信号出力端子３−２より出力される映像再生信号及び音声再生信号の記録開始及び停止を繰り返し行い、編集用記録媒体として用意された磁気記録テープを作成する。
【００９２】
以上詳述したように、本発明の第２の実施の形態では、編集プログラムの設定時に、複数設定された各編集シーンの音声ソースとして再生音声信号若しくは再生音声信号以外の音声信号を選択可能とし、編集プログラム実行時、編集再生中の音声ソースとして再生音声信号以外の音声信号が選択されたシーンに対しては、操作者の指示する任意のタイミングで再生動作を開始し、更に該編集シーンの音声ソースを任意の期間、編集プログラム設定時に選択された再生音声信号以外の音声ソースに切り換え可能とすることで、複数設定された各編集シーン毎に適当な音声ソースを容易に設定することが可能となり、簡単且つ必要十分な音声編集効果を得ることができる。
【００９３】
（第３の実施の形態）
次に、本発明の第３の実施の形態を図８乃至図１０に基づき説明する。なお、本実施の形態に係る編集機能を有する磁気記録再生装置の基本的な構成は、上述した従来例における図１２と同一であるから、同図を流用して説明する。
【００９４】
図８は、本実施の形態に係る編集機能を有する磁気記録再生装置の編集モードの動作の流れを示すフローチャートであり、同図におけるステップＳ８０２乃至ステップＳ８１５は、上述した従来例の図１３におけるステップＳ１３０２乃至ステップＳ１３１５と同一であるから、その説明は省略し、本実施の形態特有の処理についてのみ説明する。
【００９５】
図８において図１３と異なる点は、図１３のステップＳ１３０１においてはｎ，ｍ及びＡｓｅｌカウンタ値をそれぞれ０にクリアするのに対して、図８のステップＳ８０１においてはｎ，ｍのみを０にクリアするものである。
【００９６】
次に、図８のステップＳ８０６において実行されるシーンｎの編集設定処理動作について、図９のフローチャートに基づき説明する。
【００９７】
図９において、まず、ステップＳ９０１でＳＷ６のオンによりカットインが選択されたか否かを判断する。そして、カットインが選択されないと判断された場合は、次のステップＳ９０２でＳＷ７のオンによりカットアウトが選択されたか否かを判断する。そして、カットアウトが選択されないと判断された場合はリターンし、また、カットアウトが選択されたと判断された場合は、ステップＳ９０７でカットアウト（ｎ）点を設定した後、リターンする。
【００９８】
一方、前記ステップＳ９０１においてカットインが選択されたと判断された場合は、ステップＳ９０３でカットイン（ｎ）点を設定した後、ステップＳ９０４へ進む。
【００９９】
このステップＳ９０４では、音声編集スイッチ（ＳＷ１３）がオフであるか否かを判断する。そして、音声編集スイッチ（ＳＷ１３）がオフであると判断された場合は、次のステップＳ９０５で音声編集フラグ（ｎ）を０にクリアした後、リターンする。
【０１００】
一方、前記ステップＳ９０４において音声編集スイッチ（ＳＷ１３）がオンであると判断された場合は、ステップＳ９０６で音声編集フラグ（ｎ）を１にセットした後、リターンする。
【０１０１】
次に、図８のステップＳ８１０において実行されるシーンｍの編集実行処理動作について、図１０のフローチャートに基づき説明する。
【０１０２】
図１０において、まず、ステップＳ１００１でテープカウンタがカットインポイント（ｍ）と一致するか否かを一致するまで判断する。そして、テープカウンタがカットインポイント（ｍ）と一致したと判断された場合は、ステップＳ１００２で音声編集（ｎ）フラグが１であるか否かを判断する。そして、音声編集（ｎ）フラグが１であると判断された場合は、ステップＳ１００３で編集実行を待機とした後、ステップＳ１００４へ進む。
【０１０３】
ステップＳ１００４では、編集開始スイッチ（ＳＷ１０）がオンされたか否かをオンされるまで判断する。そして、編集開始スイッチ（ＳＷ１０）がオンされたと判断された場合及び前記ステップＳ１００２において音声編集（ｎ）フラグが１でないと判断された場合は、いずれもステップＳ１００５へ進む。
【０１０４】
ステップＳ１００５では、音声編集（ｎ）フラグが１であるか否かを判断する。そして、音声編集（ｎ）フラグが１であると判断された場合は、ステップＳ１００６で音声切換スイッチ（ＳＷ１２）がオンされたか否かを判断する。そして、音声切換スイッチ（ＳＷ１２）がオンされたと判断された場合は、ステップＳ１００７で内蔵マイク４−１を選択した後、ステップＳ１００８へ進む。
【０１０５】
一方、前記ステップＳ１００５において音声編集フラグ（ｎ）が１でないと判断された場合及び前記ステップＳ１００６において音声切換スイッチ（ＳＷ１２）がオンでないと判断された場合は、いずれもステップＳ１０１３へ進んで、再生音声信号を選択した後、ステップＳ１００８へ進む。
【０１０６】
ステップＳ１００８では編集実行を開始し、次のステップＳ１００９で開始信号を発行する。次に、ステップＳ１０１０でテープカウンタがカットアウトポイント（ｍ）と一致するか否かを判断する。そして、テープカウンタがカットアウトポイント（ｍ）と一致しないと判断された場合は、前記ステップＳ１００５へ戻って音声編集フラグ（ｎ）が１であるか否かを判断する。
【０１０７】
一方、前記ステップＳ１０１０においてテープカウンタがカットアウトポイント（ｍ）と一致したと判断された場合は、ステップＳ１０１１で編集実行を終了し、次のステップＳ１０１２で停止信号を発行した後、リターンする。
【０１０８】
即ち、本実施の形態に係る編集機能を有する磁気記録再生装置においては、システムコントロール部１は、キー入力部７でＥＤＩＴキー（ＳＷ４）のオンを検出すると、編集設定動作を開始する。編集設定はキー入力部７のＳＷ６、ＳＷ７及びＳＷ１３にて行われ、ＳＷ６のオンを検出するとカットインポイントが設定され、ＳＷ７のオンを検出するとカットアウトポイントが設定される。ここで、カットインポイント設定後、音声選択（マイク入力）スイッチ（ＳＷ１３）をオンした場合には、マイク入力フラグを１にセットし、音声選択（マイク入力）スイッチ（ＳＷ１３）をオンしない場合には、マイク入力フラグを０にクリアし、同編集シーンのマイク入力を許可（マイク入力フラグが１のとき）或いは禁止（マイク入力フラグが０のとき）する。
【０１０９】
編集設定にてカットインポイント及びカットアウトポイントの設定が選択され、キー入力部７でＳＴＡＲＴキー（ＳＷ５）のオンを検出すると編集実行を開始する。この編集実行時、システムコントロール部１はテープカウンタを監視し、テープカウンタがカットインポイントと一致すると、マイク入力フラグがセットされている場合、システムコントロール部１は編集実行を待機し、操作者が任意のタイミングで編集開始スイッチ（ＳＷ１０）をオンするのを待つ。
【０１１０】
そして、編集開始スイッチ（ＳＷ１０）のオンが検出されると、システムコントロール部１は各ブロックに編集開始の制御信号を送出すると共に、遠隔操作信号送出部８より図示しない外部記録装置へ開始制御信号を送出する。
【０１１１】
編集動作開始時或いは編集動作中に音声切換スイッチ（ＳＷ１２）のオンが検出されると、検出している期間だけ編集シーンの音声ソースをマイク入力に切り換える。また、音声切換スイッチ（ＳＷ１２）がオンされていない期間は、再生音声信号が音声ソースとして出力される。
【０１１２】
一方、音声フラグがクリアされている場合には、編集開始スイッチ（ＳＷ１０）のオンによらず一連の編集開始制御を開始する。また、このとき音声ソースは、再生音声信号が選択される。
【０１１３】
以降、テープカウンタがカットアウトポイントと一致するまでの間、音声切換スイッチ（ＳＷ１２）のオン動作に応じて再生音声信号若しくは内蔵マイクの音声ソースの切り換えが自由に選択され、テープ編集が行われる。
【０１１４】
そして、テープカウンタがカットアウトポイントと一致すると、システムコントロール部１は編集動作を終了するための制御信号を各ブロックに送出すると共に、遠隔操作信号送出部８より図示しない外部記録装置へ停止制御信号を送出し、外部記録装置の磁気記録テープへの記録動作を停止する。
【０１１５】
以上の編集実行動作は編集設定にて設定された編集シーンの数だけ繰り返し行われる。
【０１１６】
一方、外部記録装置では、遠隔操作信号送出部８より送られてくる開始制御信号及び停止制御信号に応じて映像信号出力端子３−１及び音声信号出力端子３−２より出力される映像再生信号及び音声再生信号の記録開始及び停止を繰り返し行い、編集用記録媒体として用意された磁気記録テープを作成する。
【０１１７】
以上詳述したように、本発明の第３の実施の形態では、編集プログラムの設定時に、複数設定された各編集シーンの音声ソースとして再生音声信号若しくは内蔵マイク４−１から入力された音声信号を選択可能とし、編集プログラム実行時、編集再生中の音声ソースとして内蔵マイク４−１から入力された音声信号が選択されたシーンに対しては、操作者の指示する任意のタイミングで再生動作を開始し、更に該編集シーンの音声ソースを任意の期間、内蔵マイク４−１から入力された音声信号に切り換え可能とすることで、簡単にＢＧＭ（バックグランドミュージック）やアナウンス効果を得ることができる。
【０１１８】
（第４の実施の形態）
次に、本発明の第４の実施の形態を図１１に基づき説明する。なお、本実施の形態に係る編集機能を有する磁気記録再生装置の基本的な構成は、上述した従来例における図１２と同一であるから、同図を流用して説明する。また、本実施の形態に係る編集機能を有する磁気記録再生装置の編集モードのシーケンスは、上述した第３の実施の形態における図８と同一であるから、その説明は省略する。また、本実施の形態に係る編集機能を有する磁気記録再生装置におけるシーンｎ編集設定のシーケンスは、上述した従来例の図１４と同一であるから、その説明は省略する。
【０１１９】
図１１は、本実施の形態に係る編集機能を有する磁気記録再生装置におけるシーンｍ編集実行処理動作の流れを示すフローチャートである。
【０１２０】
図１１において、まず、ステップＳ１１０１でテープカウンタがカットインポイント（ｍ）と一致するか否かを一致するまで判断する。そして、テープカウンタがカットインポイント（ｍ）と一致したと判断された場合は、ステップＳ１１０２で編集実行を待機する。次に、ステップＳ１１０３で編集開始スイッチ（ＳＷ１０）がオンされたか否かをオンされるまで判断する。そして、編集開始スイッチ（ＳＷ１０）がオンされたと判断された場合は、ステップＳ１１０４で編集実行を開始し、次のステップＳ１１０５で開始信号を発行する。
【０１２１】
次に、ステップＳ１１０６で音声切換スイッチ（ＳＷ１２）がオンされたか否かを判断する。そして、音声切換スイッチ（ＳＷ１２）がオンされたと判断された場合は、ステップＳ１１０７で内蔵マイク４−１を選択した後、ステップＳ１１０８へ進む。また、前記ステップＳ１１０６において音声切換スイッチ（ＳＷ１２）がオンされないと判断された場合は、ステップＳ１１１１で再生音声信号を選択した後、ステップＳ１１０８へ進む。
【０１２２】
ステップＳ１１０８ではテープカウンタがカットアウトポイント（ｍ）と一致するか否かを判断する。そして、テープカウンタがカットアウトポイント（ｍ）と一致したと判断された場合は、ステップＳ１１０９で編集実行を終了する。次に、ステップＳ１１１０で停止信号を発行した後、リターンする。
【０１２３】
一方、前記ステップＳ１１０８においてテープカウンタがカットアウトポイント（ｍ）と一致しないと判断された場合は、前記ステップＳ１１０６へ戻って音声切換スイッチ（ＳＷ１２）がオンされたか否かを判断する。
【０１２４】
即ち、本実施の形態に係る編集機能を有する磁気記録再生装置においては、システムコントロール部１は、上述した従来と同様の操作により編集設定が行われ、キー入力部７でＳＴＡＲＴキー（ＳＷ５）のオンを検出すると、編集実行を開始する。編集実行時、システムコントロール部１はテープカウンタを監視し、テープカウンタがカットインポイントと一致すると、操作者が編集開始スイッチ（ＳＷ１０）をオンするまでの任意の期間編集実行を待機する。
【０１２５】
そして、編集開始スイッチ（ＳＷ１０）のオンが検出されると、システムコントロール部１は各ブロックに編集開始の制御信号を送出すると共に、遠隔操作信号送出部８より図示しない外部記録装置へ開始制御信号を送出する。
【０１２６】
編集動作開始時或いは編集動作中に音声切換スイッチ（ＳＷ１２）のオンが検出されると、検出している期間だけ編集シーンの音声ソースをマイク入力に切り換える。音声切換スイッチ（ＳＷ１２）がオンされていない期間は再生音声信号が音声ソースとして出力される。
【０１２７】
以降、テープカウンタがカットアウトポイントと一致するまでの間、音声切換スイッチ（ＳＷ１２）のオン動作に応じて再生音声信号若しくは内蔵マイクの音声ソースの切り換えが自由に選択され、テープ編集が行われる。
【０１２８】
そして、テープカウンタがカットアウトポイントと一致すると、システムコントロール部１は編集動作を終了するための制御信号を各ブロックに送出すると共に、遠隔操作信号送出部８より図示しない外部記録装置へ停止制御信号を送出し、外部記録装置の磁気記録テープへの記録動作を停止する。
【０１２９】
以上の編集実行動作は編集設定にて設定された編集シーンの数だけ繰り返し行われる。
【０１３０】
一方、外部記録装置では、遠隔操作信号送出部８より送られてくる開始制御信号及び停止制御信号に応じて映像信号出力端子３−１及び音声信号出力端子３−２より出力される映像再生信号及び音声再生信号の記録開始及び停止を繰り返し行い、編集用記録媒体として用意された磁気記録テープを作成する。
【０１３１】
以上詳述したように、本発明の第４の実施の形態では、編集プログラムの実行時に、複数設定された各編集シーンに対して操作者の指示する任意のタイミングで再生動作を開始し、更に該編集シーンの音声ソースを任意の期間、内蔵マイク４−１から入力された音声信号に切り換え可能とすることで、簡単にＢＧＭ（バックグランドミュージック）やアナウンス効果を得ることができる。
【０１３２】
【発明の効果】
以上詳述したように本発明の再生方法及び装置によれば、複数設定された各編集シーン毎に適当な音声ソースを容易に設定可能であるから、簡単且つ必要十分な音声編集効果を得ることができるという効果を奏する。
【０１３３】
また、本発明の再生方法及び装置によれば、編集シーンの音声ソースを任意の期間、内蔵マイクから入力された音声信号に切り換え可能であるから、簡単にＢＧＭやアナウンス効果を得ることができるという効果を奏する。
【０１３４】
更に、本発明の記憶媒体によれば、上述した本発明の再生装置を円滑に制御することができるという効果を奏する。
【図面の簡単な説明】
【図１】本発明の第１の実施の形態に係る再生装置におけるシーンｍ編集実行の動作の流れを示すフローチャートである。
【図２】本発明の第１の実施の形態に係る再生装置における音声ソース選択動作の流れを示すフローチャートである。
【図３】本発明の第１の実施の形態に係る再生装置における音声ソース切り換え動作の流れを示すフローチャートである。
【図４】本発明の第２の実施の形態に係る再生装置におけるシーンｎ編集設定動作の流れを示すフローチャートである。
【図５】本発明の第２の実施の形態に係る再生装置におけるシーンｍ編集実行動作の流れを示すフローチャートである。
【図６】本発明の第２の実施の形態に係る再生装置における音声ソース選択動作の流れを示すフローチャートである。
【図７】本発明の第２の実施の形態に係る再生装置における音声ソース切り換え動作の流れを示すフローチャートである。
【図８】本発明の第３の実施の形態に係る再生装置における編集モードの流れを示すフローチャートである。
【図９】本発明の第３の実施の形態に係る再生装置におけるシーンｎ編集設定動作の流れを示すフローチャートである。
【図１０】本発明の第３の実施の形態に係る再生装置におけるシーンｍ編集実行動作の流れを示すフローチャートである。
【図１１】本発明の第４の実施の形態に係る再生装置におけるシーンｍ編集実行動作の流れを示すフローチャートである。
【図１２】従来の再生装置の構成を示すブロック図である。
【図１３】従来の再生装置における編集モードの流れを示すフローチャートである。
【図１４】従来の再生装置におけるシーンｎ編集設定動作の流れを示すフローチャートである。
【図１５】従来の再生装置におけるシーンｍ編集実行動作の流れを示すフローチャートである
【符号の説明】
１      システムコントロール部
２      メカシャーシ部
３      信号処理部
３−１  映像信号出力端子
３−２  音声信号出力端子
３−３  外部映像信号入力端子
４      入力音声処理部
４−１  内蔵マイク
４−２  外部マイク入力端子
４−３  外部音声入力端子
５      ＥＶＦ（エレクトリックビューファインダー）
６      スピーカ部
７      キー入力部
８      遠隔操作信号送出部
【図１】
0003799163.tif 000002
【図２】
0003799163.tif 000003
【図３】
0003799163.tif 000004
【図４】
0003799163.tif 000005
【図５】
0003799163.tif 000006
【図６】
0003799163.tif 000007
【図７】
0003799163.tif 000008
【図８】
0003799163.tif 000009
【図９】
0003799163.tif 000010
【図１０】
0003799163.tif 000011
【図１１】
0003799163.tif 000012
【図１２】
0003799163.tif 000013
【図１３】
0003799163.tif 000014
【図１４】
0003799163.tif 000015
【図１５】
0003799163.tif 000016